(57)【要約】【課題】ＯＳＤ更新タイミングの不一致によって生じる違和感を簡易的な構成で無くすこと。【解決手段】動画像データを取得する手段と、動画像データを第一の映像処理手段と第二の映像処理手段に交互に分配する手段と、画像処理を施す第一の画像処理手段と、第一の画像処理手段と同様の画像処理を施す第二の画像処理手段と、第一の画像処理手段と第二の画像処理手段とで画像処理内容が一致しているかどうかに応じて出力する画像データを判定する手段と、画像データを表示手段に出力する手段と、画像を表示する手段を有する。【選択図】図３
2019128505.tif 000002
【特許請求の範囲】
【請求項１】
動画像データを取得する手段と、
動画像データを、第一の映像処理手段と第二の映像処理手段に交互に分配する手段と、
入力した画像データに対して画像処理を施す第一の画像処理手段と、
入力した画像データに対して第一の画像処理手段と同様の画像処理を施す第二の画像処理手段と、
第一の画像処理手段から入力した画像データと、第二の画像処理手段から入力した画像データと、どちらの画像データを出力するか判定する手段と、
判定手段の判定結果に従って、第一の画像処理手段から入力した画像データと第二の画像処理手段から入力した画像データの何れか表示手段に出力する手段と、
画像を表示する手段と、
を備え、
前記判定手段は、第一の画像処理手段と第二の画像処理手段とで画像処理内容が一致している場合は、第一の画像処理手段から入力した画像データと、第二の画像処理手段から入力した画像データとを交互に出力すると判定し、
第一の画像処理手段と第二の画像処理手段とで画像処理内容が異なる場合には、第一の画像処理手段から入力した画像データのみを出力すると判定することを特徴とする表示装置。
【請求項２】
前記第一の画像処理手段は画像処理の内容を前記第二の画像処理手段に通知することを特徴とする請求項１に記載の表示装置。
【請求項３】
前記第一の画像処理手段および前記第二の画像処理手段は、それぞれが適用している画像処理の内容を画像データにメタ情報として付加することを特徴とする請求項１又は請求項２に記載の表示装置。
【請求項４】
前記第一の画像処理手段および前記第二の画像処理手段で適用する画像処理は、ＯＳＤ合成であることを特徴とする請求項１乃至請求項３の何れか一項に記載の表示装置。
【発明の詳細な説明】
【技術分野】
【０００１】
本発明は、画像を表示する表示装置およびその制御方法に関する。
【背景技術】
【０００２】
近年、映像の高解像度化、高フレームレート化が急速に進んでいる。特に、緻密な画像処理を必要とする映像制作向けの表示装置において、フレームレートの倍速化を実現する場合には、高度な画像処理を従来に比べて２倍の速度で実行する必要があり、高度な技術が必要とされる。
【０００３】
本発明のベースとなるシステムは、従来の処理速度で動作する画像処理エンジンを複数使用する。入力した高フレームレートの映像信号を、前記複数の画像処理エンジンに交互に入力し、各画像処理エンジンでそれぞれ独立して画像処理を実行する。最終的に、各画像処理エンジンから出力された画像処理後の画像データを、交互に出力することで、高フレームレート映像に対しても従来同等の画像処理性能を実現するというシステムである。
【０００４】
該システムにおいて、高フレームレート映像に対してＯＳＤ（Ｏｎ  Ｓｃｒｅｅｎ  Ｄｉｓｐｌａｙ）を合成する場合は、それぞれの画像処理エンジンで同一のＯＳＤを合成する必要がある。その場合、各画像処理エンジンでのＯＳＤ描画タイミングが数フレームずれた場合に、更新後のＯＳＤが表示された後に更新前のＯＳＤが一瞬表示されるなど、不自然な見えとなってしまう。
【０００５】
特許文献１、２では、右目用のフレームと左目用のフレームを交互に出力する３Ｄ映像表示システムにおいて、ＯＳＤが不自然な立体見えとなることを避けるために、ＯＳＤ表示中は右目か左目のいずれか一方のフレームのみを表示して、２Ｄモードとしての表示に切り替える技術が開示されている。
【先行技術文献】
【特許文献】
【０００６】
【特許文献１】特開２００３−９１８５号公報
【特許文献２】特開２０１３−５９０４３号公報
【発明の概要】
【発明が解決しようとする課題】
【０００７】
しかしながら、本システムにおいて、ＯＳＤ表示中に一方の画像処理エンジンからの出力のみを表示するように制御した場合、ＯＳＤ以外の映像部分までフレームレートが１／２に低下してしまい、ユーザは、ＯＳＤを表示してる間は所望の高フレームレート映像を確認することができなくなってしまう。
【０００８】
本発明は、上記のような点に鑑み、複数の画像処理エンジンを搭載した高フレームレート画像表示装置において、ＯＳＤ更新タイミング不一致によって生じる違和感を、低減することが可能な表示装置を提供することを目的とする。
【課題を解決するための手段】
【０００９】
上記の目的を達成するために、本発明に係る表示装置は、
動画像データを取得する手段と、動画像データを、第一の映像処理手段と第二の映像処理手段に交互に分配する手段と、入力した画像データに対して画像処理を施す第一の画像処理手段と、入力した画像データに対して第一の画像処理手段と同様の画像処理を施す第二の画像処理手段と、第一の画像処理手段から入力した画像データと、第二の画像処理手段から入力した画像データと、どちらの画像データを出力するか判定する手段と、画像データを表示手段に出力する手段と、画像を表示する手段と、を備え、前記判定手段は、第一の画像処理手段と第二の画像処理手段とで画像処理内容が一致している場合は、第一の画像処理手段から入力した画像データと、第二の画像処理手段から入力した画像データとを交互に出力すると判定し、第一の画像処理手段と第二の画像処理手段とで画像処理内容が異なる場合には、第一の画像処理手段から入力した画像データのみを出力すると判定することを特徴とする。
【発明の効果】
【００１０】
本発明に係る表示装置によれば、複数の画像処理エンジンを搭載した高フレームレート映像表示装置において、ＯＳＤ更新タイミングの不一致によって生じる違和感を、簡易的な構成で無くすことができるという効果を奏する。
【図面の簡単な説明】
【００１１】
【図１】２つの画像処理エンジンを搭載した表示装置５の簡易的な構成を示す図である。
【図２】表示装置にて処理される画像データ例を示す図である。
【図３】表示装置の構成を示す第１の模式図である。
【図４】出力画像切替部の処理の流れを示すフローチャートである。
【図５】表示装置にて処理される画像データ例を示す図である。
【図６】表示装置の構成を示す第２の模式図である。
【図７】表示装置にて処理される画像データ例を示す図である。
【図８】表示装置の構成を示す第３の模式図である。
【図９】ＯＳＤ識別情報の例を示す図である。
【発明を実施するための形態】
【００１２】
以下、本発明を実施するための形態について、図面を参照しながら説明する。
【００１３】
＜課題の説明＞
本発明の課題について説明する。
【００１４】
図１は、２つの画像処理エンジンを搭載した高フレームレート映像用の表示装置５の構成を示す図である。
【００１５】
表示装置５は、高フレームレート映像の撮影が可能な外部の撮像装置４からの映像信号を入力して、表示する。表示装置５は、入力処理部５１と、ユーザ操作入力部５２と、第一画像処理部５３と、第二画像処理部５４と、出力処理部５５と、表示部５６とを有する。
【００１６】
入力処理部５１と、出力処理部５４は、高フレームレートでの処理が可能であり、第一画像処理部５３および第二画像処理部５４は、入力処理部５１および出力処理部５４の１／２の速度で処理が可能である。入力処理部５１は、入力された映像信号の画像データを、第一画像処理部５３と、第二画像処理部５４とに交互に出力する。
【００１７】
第一画像処理部５３と、第二画像処理部５４は、それぞれ画像処理を施した画像データを、出力処理部５５に出力する。出力処理部５５は、第一画像処理部５３および第二画像処理部５４から入力したそれぞれの画像データを、表示部５６へと交互に出力することで、画像処理の適用された高フレームレート映像を表示する。
【００１８】
ユーザ操作入力部１２にてユーザ操作を入力した場合は、第一画像処理部５３および第二画像処理部５４にて、ユーザ操作に応じたＯＳＤを生成して画像データに合成する。このとき、第一画像処理部５３と第二画像処理部５４とで同一のＯＳＤを生成するために、第一画像処理部５３がユーザ操作を入力し、生成するＯＳＤを判断し、判断結果を第二画像処理部５４に出力する。こうすることで、第一画像処理部５３と第一画像処理部５４とで同一のＯＳＤを合成するように制御する。
【００１９】
このとき、第一画像処理部５３で所望のＯＳＤを合成した画像データと、第二画像処理部５４で同一のＯＳＤを合成した画像データとで、タイミングが数フレーム遅延してしまった場合、ユーザに対して不自然な見えのＯＳＤが表示されてしまう。遅延する原因としては、第一画像処理部５３と第二画像処理部５４との通信速度の問題や、連続操作等によって処理が集中した際の処理負荷の問題等が挙げられる。
【００２０】
図２は、第一画像処理部５３でのＯＳＤ合成タイミングに対して、第二画像処理部５４でのＯＳＤ合成タイミングが数フレーム遅延してしまった場合の画像データの状態を示す図である。
【００２１】
図２（ａ）は、入力処理部５１に入力される画像データ例であり、ＦＬＭ１からＦＬＭ８まで、順次入力される。図２（ｂ）は、第一画像処理部５３に入力される画像データ例であり、ＦＬＭ１、ＦＬＭ３、ＦＬＭ５、ＦＬＭ７と、順次入力される。図２（ｃ）は、第二画像処理部５４に入力される画像データ例であり、ＦＬＭ２、ＦＬＭ４、ＦＬＭ６、ＦＬＭ８と、順次入力される。図２（ｄ）は、第一画像処理部５３から出力される画像データ例であり、各画像データにＯＳＤを合成して順次出力する。ＯＳＤ１を合成した状態からユーザ操作を入力し、ＯＳＤ状態をＯＳＤ１からＯＳＤ２に更新して、ＦＬＭ３以降の画像データに合成したものとする。図２（ｅ）は、第二画像処理部５４から出力される画像データ例であり、各画像データにＯＳＤを合成して、順次出力する。ＯＳＤ１を合成した状態から第一画像処理部５３からのＯＳＤ判断結果を入力し、ＯＳＤ状態をＯＳＤ１からＯＳＤ２に更新して、ＦＬＭ６以降の画像データに合成したものとする。図２（ｆ）は、出力処理部５５から出力される画像データ例であり、各画像処理部からの画像データを交互に読み出し、ＦＬＭ１からＦＬＭ８まで順次出力する。ここで分かるように、ＦＬＭ３でＯＳＤ１からＯＳＤ２に更新されたにも関わらず、ＦＬＭ４にて再度ＯＳＤ１が合成された画像が表示され、ユーザに対して違和感を与える原因となる。該違和感は、更新前後のＯＳＤの差分が大きければ大きいほど顕著になる。
【００２２】
以下の実施例では、このＯＳＤ表示内容が安定しない状態を防止することで、ユーザに対する違和感を無くす方法について説明する。
【００２３】
＜第１の実施形態＞
本発明の第１の実施形態について説明する。
【００２４】
本実施例では、第一の画像処理部において第二の画像処理部とのＯＳＤ一致状態を判断し、ＯＳＤが不一致状態の場合には、第一の画像処理部からの画像データのみを出力するように制御する例について説明する。
【００２５】
以下、表示装置１の構成及び動作について説明する。
【００２６】
図３は、第１の実施形態に係る表示装置１の構成を示す図である。
【００２７】
表示装置１は、入力処理部１１と、ユーザ操作入力部１２と、第一画像処理部１３と、第二画像処理部１４と、出力処理部１５と、表示部１６とを有する。表示装置１は、入力処理部１１と、出力処理部１４は、高フレームレートでの処理が可能であり、第一画像処理部１３および第二画像処理部１４は、入力処理部１１および出力処理部１４の１／２の速度で処理が可能である。
【００２８】
入力処理部１１は、画像取得部１１１と、画像分配部１１２を有する。
【００２９】
画像取得部１１１、は、例えばＳＤＩ（Ｓｅｒｉａｌ  Ｄｉｇｉｔａｌ  Ｉｎｔｅｒｆａｃｅ）規格に準じたＳＤＩ入力端子を備えており、表示装置１の外部の撮影装置から、画像データを含む映像信号を取得する。画像取得部１１１は、取得した映像信号から、表示装置１の内部で処理可能な形式の画像データを取り出して、画像分配部１１２に出力する。
【００３０】
画像分配部１１２は、入力した信号が高フレームレートの映像信号であった場合に、第一画像処理部１３と第二画像処理部１４に、交互に画像データを出力する。
【００３１】
ユーザ操作入力部１２は、表示装置１に対するユーザ操作情報を、第一画像処理部１３へ出力する。
【００３２】
第一画像処理部１３は、色変換部１３１とＯＳＤ合成部１３２とを有する。
【００３３】
色変換部１３１は、画像取得部１１より入力した画像データに対して、色変換処理を施し、ＯＳＤ合成部１３２へ出力する。
【００３４】
ＯＳＤ合成部１３２は、色変換処理部１３１より入力した画像データにＯＳＤを合成し、出力処理部１５へ出力する。ＯＳＤ合成部１３２は、ユーザ操作入力部１２よりユーザ操作情報を入力すると、現在のＯＳＤ状態およびユーザ操作情報を元に、画像データに合成するＯＳＤを判別し、合成するＯＳＤを更新する。ＯＳＤ合成部１３２は、第二画像処理部１４で同一のＯＳＤを合成させるために、前述した合成するＯＳＤの判別結果を、第二画像処理部１４へ出力する。さらに同時に、第二画像処理部１４とのＯＳＤ状態が一致していないこと示す「ＯＳＤ不一致」という情報を一致状態保持部１５３へ出力する。ＯＳＤ合成部１３２は、第二画像処理部１４から同一のＯＳＤ合成が完了したことを示す「ＯＳＤ合成完了通知」を入力すると、「ＯＳＤ一致」という情報を一致状態保持部１５３へ出力する。
【００３５】
第二画像処理部１４は、色変換部１４１と、ＯＳＤ合成部１４２を有する。
【００３６】
色変換部１４１は、画像取得部１１より入力した画像データに対して、色変換処理を施し、ＯＳＤ合成部１４２へ出力する。
【００３７】
ＯＳＤ合成部１４２は、色変換処理部１４１より入力した画像データにＯＳＤを合成し、出力処理部１５へ出力する。ＯＳＤ合成部１４２は、第一画像処理部１３よりＯＳＤ判別結果を入力すると、ＯＳＤ判別結果に応じて合成するＯＳＤを更新する。合成するＯＳＤの更新が完了したタイミングで、第一画像処理部１３へ「ＯＳＤ合成完了通知」を出力する。
【００３８】
出力処理部１５は、第一画像保持部１５１と、第二画像保持部１５２と、一致状態保持部１５３と、出力画像切替部１５４と、画像出力部１５５を有する。
【００３９】
第一画像保持部１５１は、第一画像処理部１３より入力した画像データを保持する。
【００４０】
第二画像保持部１５２は、第二画像処理部１４より入力した画像データを保持する。
【００４１】
一致状態保持部１５３は、第一画像処理部１３より入力したＯＳＤの一致状態を保持する。
【００４２】
出力画像切替部１５４は、読み出し元の情報を切り替えながら、第一画像保持部１５１の画像データと第二画像保持部１５２の画像データとを交互に読み出して、画像出力部１５５へと出力する。具体的には、読み出し元が第一画像保持部１５１であれば、第一画像保持部１５１の画像データを読み出して画像出力部１５５へと出力し、読み出し元の情報を第二画像保持部１５２に切り替える。読み出し元が第二画像保持部１５２であれば、第二画像保持部１５２の画像データを読み出して画像出力部１５５へと出力し、読み出し元の情報を第一画像保持部１５１に切り替える。ただし、出力画像切替部１５４は、第二画像保持部１５２の画像データを読み出すタイミングで、一致状態保持部１５３より取得したＯＳＤ一致状態に応じて、第一画像保持部１５１と第二画像保持部１５２のどちらから画像データを読み出すかを判断する。出力画像切替部１５４の動作の詳細については、図４の説明にて後述する。
【００４３】
画像出力部１５５は、出力画像切替部１５４から入力した画像データを表示部１６へ出力する。
【００４４】
表示部１６は、出力処理部１５から出力される表示画像データを表示する、ディスプレイである。
【００４５】
図４は、出力画像切替部１５４の処理の流れを示すフローチャートである。
【００４６】
出力画像切替部１５４は、画像データの読み出し元を参照し、読み出し元が第一画像保持部１５１であればＳ１０５へ移行し、読み出し元が第二画像保持部１５２であれば、Ｓ１０２へ移行する（Ｓ１０１）。
【００４７】
出力画像切替部１５４は、一致状態保持部１５３よりＯＳＤの一致状態を取得する（Ｓ１０２）。出力画像切替部１５４は、ＯＳＤの一致状態が「ＯＳＤ一致」であった場合は、Ｓ１０４へ移行し、ＯＳＤの一致状態が「ＯＳＤ不一致」であった場合は、ＯＳＤが一致していないために生じるユーザに与える違和感を軽減するために、Ｓ１０５へ移行する（Ｓ１０３）。出力画像切替部１５４は、第二画像保持部１５２の画像データを読み出す（Ｓ１０４）。出力画像切替部１５４は、第一画像保持部１５１の画像データを読み出す（Ｓ１０５）。出力画像切替部１５４は、読み出した画像データを画像出力部１５５へ出力する（Ｓ１０６）。出力画像切替部１５４は、画像データの読み出し元を切り替える（Ｓ１０７）。具体的には、現在の読み出し元が第一画像保持部１５１であれば第二画像保持部１５２に切り替え、現在の読み出し元が第二画像保持部１５２であれば第一画像保持部１５１に切り替える。
【００４８】
図４に示した処理フローによって、「ＯＳＤが不一致」であった場合は、読み出し元が第二画像保持部１５２であったとしても、第一画像保持部１５１から画像データを読み出すような制御となる。
【００４９】
図５は、本実施例の効果を説明するための図である、。
【００５０】
入力処理部１１に入力される画像データ例は図２（ａ）と同様であり、ＦＬＭ１からＦＬＭ８まで、順次入力される。
【００５１】
第一画像処理部１３に入力される画像データ例は図２（ｂ）と同様であり、ＦＬＭ１、ＦＬＭ３、ＦＬＭ５、ＦＬＭ７と、順次入力される。
【００５２】
第二画像処理部１４に入力される画像データ例は図２（ｃ）と同様であり、ＦＬＭ２、ＦＬＭ４、ＦＬＭ６、ＦＬＭ８と、順次入力される。
【００５３】
図５（ａ）は、第一画像処理部１３から出力される画像データ例であり、図５（ｂ）は第一画像処理部１３から出力される画像データに紐付いたＯＳＤ一致状態を示す。
【００５４】
図５（ｃ）は、第二画像処理部１４から出力される画像データ例である。ここで、第一画像処理部１３は、ＦＬＭ３のタイミングでＯＳＤ１からＯＳＤ２への更新が完了しており、一方で第二画像処理部１４は、ＦＬＭ６のタイミングでＯＳＤ１からＯＳＤ２への更新が完了している。よって、第一画像処理部１３においてＦＬＭ３およびＦＬＭ５に紐付いたＯＳＤ一致状態を示す情報は「ＯＳＤ不一致」となる。
【００５５】
図５（ｄ）は、出力処理部１５から出力される画像データ例である。
【００５６】
出力処理部１５では、出力画像切替部１５４にて、図４で示したＯＳＤ一致状態に応じた読み出し元の切換え処理を実行し、出力する画像データを決定する。
【００５７】
読み出し元の切替処理によって、ＦＬＭ３〜ＦＬＭ６までの「ＯＳＤ不一致」期間は、読み出し元が第二画像保持部１５２であっても第一画像保持部１５１から画像データが読み出される。具体的には、第二画像保持部１５２からＦＬＭ４を読み出すタイミングで第一画像保持部１５１からＦＬＭ３を読み出し、ＦＬＭ６を読み出すタイミングでＦＬＭ５を読み出すような処理となる。結果として、ＦＬＭ１、ＦＬＭ２、ＦＬＭ３、ＦＬＭ３、ＦＬＭ５、ＦＬＭ５、ＦＬＭ７、ＦＬＭ８という画像データの出力が実行される。このようにすることで、図２（ｆ）のＦＬＭ４で発生したような、ＯＳＤの状態がＯＳＤ２に更新されたにも関わらずＯＳＤ１に戻ってしまうという現象が解消され、ユーザに与える違和感を無くすことができる。
【００５８】
以上説明したように、第１の実施形態に係る表示装置１は、第一の画像処理部にて第二の画像処理部とのＯＳＤ一致状態を判断し、ＯＳＤが不一致状態の場合、第一の画像処理部からの画像データのみを出力するように制御する。このようにすることで、第一の画像処理部で合成したＯＳＤと第二の画像処理部で合成したＯＳＤとが不一致の場合に生じるＯＳＤの違和感を防止することが可能となる。
【００５９】
以上の説明において、ユーザ操作入力部１２からのユーザ操作の入力に応じてＯＳＤを更新するとしたが、映像信号の変化や映像信号に付加されたカメラメタ情報の変化に応じてＯＳＤを更新するとしても良い。
【００６０】
以上の説明において、画像処理部は２つとしたが、画像処理部の処理速度によっては画像処理部を３つ以上含んだ構成としても良い。
【００６１】
以上の説明において、ＯＳＤの一致状態に応じて出力する画像データを切り替えるとしたが、色変換処理の一致状態や、ズーム処理の一致状態、画像のエッジを着色することでエッジを可視化するピーキング処理などの特殊変換処理の一致状態を参照するとしても良い。
【００６２】
＜第２の実施形態＞
本発明の第２の実施形態について説明する。
【００６３】
本実施例では、実施例１では第一の画像処理部でＯＳＤ一致状態を判断していたのに対して、各画像処理部のＯＳＤ更新状態に応じてＯＳＤ一致状態を判別することで、ＯＳＤ不一致状態を短くする例について説明する
図６は、第２の実施形態に係る表示装置２の構成を示す図である。以下、第１の実施形態に係る表示装置１と異なる点について説明する。
【００６４】
表示装置２は、入力処理部１１と、ユーザ操作入力部１２と、第一画像処理部１３と、第二画像処理部１４と、出力処理部１５と、表示部１６とを有する。
【００６５】
第一画像処理部１３は、色変換部１３１とＯＳＤ合成部１３２を有する。
【００６６】
ＯＳＤ合成部１３２は、色変換処理部１３１より入力した画像データにＯＳＤを合成し、出力処理部１５へ出力する。ＯＳＤ合成部１３２は、ユーザ操作入力部１２よりユーザ操作情報を入力すると、現在のＯＳＤ状態およびユーザ操作情報を元に、画像データに合成するＯＳＤを判別し、合成するＯＳＤを更新する。ＯＳＤ合成部１３２は、第二画像処理部１４で同一のＯＳＤを合成させるために、前述した合成するＯＳＤの判別結果およびＯＳＤ更新状態を、第二画像処理部１４へ出力する。さらに同時にＯＳＤ更新状態を示す情報を一致状態解析部１５６へ出力する。ここで、ＯＳＤ更新状態とは、ＯＳＤ合成部１３２でＯＳＤの更新が実行されるたびにインクリメントされるインデックス番号である。
【００６７】
第二画像処理部１４は、色変換部１４１と、ＯＳＤ合成部１４２を有する。
【００６８】
ＯＳＤ合成部１４２は、色変換処理部１４１より入力した画像データにＯＳＤを合成し、出力処理部１５へ出力する。ＯＳＤ合成部１４２は、第一画像処理部１３よりＯＳＤ判別結果およびＯＳＤ更新状態を入力すると、ＯＳＤ判別結果に応じて合成するＯＳＤを更新する。合成するＯＳＤの更新が完了したタイミングで、第一画像処理部１３より入力したＯＳＤ更新状態を示す情報を一致状態解析部１５６へ出力する。
【００６９】
出力処理部１５は、第一画像保持部１５１と、第二画像保持部１５２と、出力画像切替部１５４と、画像出力部１５５と、一致状態解析部１５６を有する。
【００７０】
一致状態解析部１５６は、ＯＳＤ合成部１３２およびＯＳＤ合成部１４２より入力した各画像処理部のＯＳＤの更新状態から、ＯＳＤ一致状態を解析する。一致状態解析部１５６は、２つのＯＳＤ更新状態が一致していれば「ＯＳＤ一致」と判断し、２つのＯＳＤ更新状態が一致していなければ「ＯＳＤ不一致」と判断し、ＯＳＤ一致状態を保持する。
【００７１】
図７は、本実施例の効果を説明するための図である。
【００７２】
入力処理部１１に入力される画像データ例は図２（ａ）と同様であり、ＦＬＭ１からＦＬＭ８まで、順次入力される。
【００７３】
第一画像処理部１３に入力される画像データ例は図２（ｂ）と同様であり、ＦＬＭ１、ＦＬＭ３、ＦＬＭ５、ＦＬＭ７と、順次入力される。
【００７４】
第二画像処理部１４に入力される画像データ例は図２（ｃ）と同様であり、ＦＬＭ２、ＦＬＭ４、ＦＬＭ６、ＦＬＭ８と、順次入力される。
【００７５】
図７（ａ）は、第一画像処理部１３から出力される画像データ例であり、図７（ｂ）は第一画像処理部１３から出力される画像データに紐付いたＯＳＤ更新状態を示す。ここで、第一画像処理部１３は、ＦＬＭ３のタイミングでＯＳＤ１からＯＳＤ２への更新が完了しているため、ＦＬＭ３処理時に「７９」というＯＳＤ更新状態が出力される。
【００７６】
図７（ｃ）は、第二画像処理部１４から出力される画像データ例であり、図７（ｄ）は第二画像処理部１４から出力される画像データに紐付いたＯＳＤ更新状態を示す。ここで、第二画像処理部１４は、ＦＬＭ６のタイミングでＯＳＤ１からＯＳＤ２への更新が完了しているため、ＦＬＭ６処理時に「７９」というＯＳＤ更新状態が出力される。
【００７７】
図７（ｅ）は、一致状態解析部１５６で判定したＯＳＤ一致状態を示す図である。
【００７８】
図７（ｂ）で示す第一画像処理部１３のＯＳＤ更新状態および図７（ｄ）で示す第二画像処理部１４のＯＳＤ更新状態を比較して、ＯＳＤの一致状態を判定する。ここで、ＦＬＭ３を入力すると、第一画像処理部１３のＯＳＤ更新状態が「７９」で、第二画像処理部１４のＯＳＤ更新状態が「７８」であることから、「ＯＳＤ不一致」であると判定され、一致状態解析部１５６に保持される。また、ＦＬＭ６を入力すると、第一画像処理部１３のＯＳＤ更新状態および第二画像処理部１４のＯＳＤ更新状態がともに「７９」であることから、「ＯＳＤ一致」であると判定され、一致状態解析部１５６に保持される。
【００７９】
図７（ｆ）は、出力処理部１５から出力される画像データ例である。
【００８０】
出力処理部１５では、出力画像切替部１５４にて、図４で示したＯＳＤ一致状態に応じた読み出し元の切換え処理を実行し、出力する画像データを決定する。読み出し元の切替処理によって、ＦＬＭ３〜ＦＬＭ５までの「ＯＳＤ不一致」期間は、読み出し元が第二画像保持部１５２であっても第一画像保持部１５１から画像データが読み出される。具体的には、第二画像保持部１５２からＦＬＭ４を読み出すタイミングで第一画像保持部１５１からＦＬＭ３を読み出すような処理となる。結果として、ＦＬＭ１、ＦＬＭ２、ＦＬＭ３、ＦＬＭ３、ＦＬＭ５、ＦＬＭ６、ＦＬＭ７、ＦＬＭ８という画像データの出力が実行される。このようにすることで、図２（ｆ）のＦＬＭ４で発生したような、ＯＳＤの状態がＯＳＤ２に更新されたにも関わらずＯＳＤ１に戻ってしまうという現象が解消され、ユーザに与える違和感を無くすことができる。
【００８１】
以上説明したように、第２の実施形態に係る表示装置２は、第一の画像処理部および第二の画像処理部のそれぞれでＯＳＤ更新状態を比較することでＯＳＤ一致状態を判断する。
このようにすることで、第１の実施形態に対してより正確なタイミングで、第一の画像処理部と第二の画像処理部で合成したＯＳＤが不一致の場合に生じるＯＳＤの違和感を防止することが可能となる。
【００８２】
＜第３の実施形態＞
本発明の第３の実施形態について説明する。
【００８３】
本実施例では、ユーザ操作を各画像処理部に入力するような構成であり、各画像処理部においてどのようなＯＳＤが合成されているかを示すＯＳＤ識別情報を画像データのメタ情報に付加することで、ＯＳＤ一致状態を判断する例について説明する。
【００８４】
本実施例は、第１の実施形態および第２の実施形態に対して、第一の画像処理部と第二の画像処理部とで処理を変える必要がないという効果がある。
【００８５】
図８は、第３の実施形態に係る表示装置３の構成を示す図である。以下、第２の実施形態に係る表示装置２と異なる点について説明する。
【００８６】
表示装置３は、入力処理部１１と、ユーザ操作入力部１２と、第一画像処理部１３と、第二画像処理部１４と、出力処理部１５と、表示部１６とを有する。
【００８７】
第一画像処理部１３は、色変換部１３１とＯＳＤ合成部１３２と、ＯＳＤ状態付加部１３４を有する。
【００８８】
ＯＳＤ合成部１３２は、色変換処理部１３１より入力した画像データにＯＳＤを合成し、出力処理部１５へ出力する。ＯＳＤ合成部１３２は、ユーザ操作入力部１２よりユーザ操作情報を入力すると、現在のＯＳＤ状態およびユーザ操作情報を元に、画像データに合成するＯＳＤを判別し、合成するＯＳＤを更新する。ＯＳＤ合成部１３２は、合成したＯＳＤの状態を識別可能なＯＳＤ識別情報を生成し、ＯＳＤ状態付加部１３４へ出力する。
【００８９】
図９に、ＯＳＤ識別情報の例を示す。
【００９０】
ＯＳＤ識別情報は、バナーやメニュー等の各ＯＳＤの表示状態を示す情報や、メニュー表示中であれば、カーソル位置を示す情報が含まれており、どんなＯＳＤが合成されているか識別可能な情報である。よって、第一画像処理部１３および第二画像処理部１４のＯＳＤ識別情報が一致していれば「ＯＳＤ一致」、第一画像処理部１３および第二画像処理部１４のＯＳＤ識別情報が一致していなければ「ＯＳＤ不一致」と判断することができる。
【００９１】
ＯＳＤ状態付加部１３４は、ＯＳＤ合成部１３２より入力したＯＳＤ識別情報を保持し、入力した画像データのメタ領域にＯＳＤ識別情報を付加して、出力処理部１５へ出力する。
【００９２】
第二画像処理部１４は、色変換部１４１と、ＯＳＤ合成部１４２と、ＯＳＤ状態付加部１４４を有し、第一画像処理部１３と同様の処理を実行する。
【００９３】
出力処理部１５は、第一画像保持部１５１と、第二画像保持部１５２と、出力画像切替部１５４と、画像出力部１５５と、一致状態解析部１５６を有する。
【００９４】
一致状態解析部１５６は、入力した画像データのメタ情報を解析して、ＯＳＤ状態付加部１３４およびＯＳＤ状態付加部１４４にて付加した、各画像処理部のＯＳＤの識別情報を取得する。一致状態解析部１５６は、２つのＯＳＤ識別情報が一致していれば「ＯＳＤ一致」と判断し、２つのＯＳＤ識別情報が一致していなければ「ＯＳＤ不一致」と判断し、ＯＳＤ一致状態を保持する。
【００９５】
本実施例の効果は、実施例２と同様であり、図７（ｆ）に示すような結果となる。
【００９６】
以上説明したように、第３の実施形態に係る表示装置３は、第一の画像処理部および第二の画像処理部のそれぞれでユーザ操作に応じたＯＳＤ識別情報を付加し、それぞれのＯＳＤ識別情報を比較することでＯＳＤ一致状態を判断する。このようにすることで、第１の実施形態および第２の実施形態に対して、第一の画像処理部と第二の画像処理部とで処理を変える必要がなく、例えば画像処理部をさらに増やす場合などに、変更範囲を少なくできるという利点がある。
【００９７】
以上の説明において、表示装置３の内部に２つの画像処理部があるとしたが、第二の画像処理部は表示装置３の外部で独立して動作する構成としても良い。
【００９８】
以上、本発明の実施の形態、及びいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【００９９】
１  表示装置、１１  入力処理部、１２  ユーザ操作入力部、
１３  第一画像処理部、１４  第二画像処理部、１５  出力処理部、
１６  表示部
【図１】
2019128505.tif 000003
【図２】
2019128505.tif 000004
【図３】
2019128505.tif 000005
【図４】
2019128505.tif 000006
【図５】
2019128505.tif 000007
【図６】
2019128505.tif 000008
【図７】
2019128505.tif 000009
【図８】
2019128505.tif 000010
【図９】
2019128505.tif 000011